(57)【要約】【課題】  操作杆の回動に応答する応答装置を操作杆の回動支持部より他端部側（反操作部側）に設けるのが望ましい場合や、操作杆の回動に節度を与える節度機構が操作杆の回動支持部より他端部側に設けられているのが好ましくない場合に、好適するようにする。【解決手段】  節度機構８を操作杆１の回動支持部である支軸２より操作部３側（一端部側）に設けることにより、操作杆１の回動支持部より他端部側が節度機構８の配置から解放される。よって、そこには、応答装置４を設けるのが自由にできるようになり、又、節度機構８が操作杆１の回動支持部より他端部側に設けられているのが好ましくない場合にも適するようになる。【選択図】  図１
2005078839.tif 000002
【特許請求の範囲】
【請求項１】
回動操作可能に支持され、その回動支持部より一端部側に操作部を有する操作杆と、
この操作杆の回動に節度を与える節度機構と、
前記操作杆の回動に応答する応答装置とを具備するものにおいて、
前記節度機構を前記操作杆の回動支持部より操作部側に設けたことを特徴とする操作装置。
【発明の詳細な説明】
【技術分野】
【０００１】
本発明は、操作杆の回動に節度を与える節度機構を有する操作装置に関する。
【背景技術】
【０００２】
従来より、例えばカーナビゲーションの操作装置として、回動操作可能に支持され、その回動支持部より一端部側に操作部を有する操作杆を具備するものが供されている。このものにおいては、更に、操作杆の回動支持部より一端部側（操作部側）に、該操作杆の回動に応答する応答装置が設けられ、そして、それらとは反対に、操作杆の回動支持部より他端部側に、操作杆の回動に節度を与える節度機構が設けられている。
【発明の開示】
【発明が解決しようとする課題】
【０００３】
この種の操作装置においては、上記操作杆の回動に応答する応答装置を、その構成の関係等から、操作杆の回動支持部より一端部側に設けるより、他端部側に設けるのが望ましい場合がある。又、装置のサイズや別部品の配置の関係等から、操作杆の回動に節度を与える節度機構が操作杆の回動支持部より他端部側に設けられているのが好ましくない場合もある。
【０００４】
本発明は上述の事情に鑑みてなされたものであり、従ってその目的は、操作杆の回動に応答する応答装置を操作杆の回動支持部より他端部側に設けるのが望ましい場合や、操作杆の回動に節度を与える節度機構が操作杆の回動支持部より他端部側に設けられているのが好ましくない場合に、好適し得る操作装置を提供するにある。
【課題を解決するための手段】
【０００５】
上記目的を達成するために、本発明の操作装置は、回動操作可能に支持され、その回動支持部より一端部側に操作部を有する操作杆と、この操作杆の回動に節度を与える節度機構と、前記操作杆の回動に応答する応答装置とを具備するものにおいて、前記節度機構を前記操作杆の回動支持部より操作部側に設けたことを特徴とする。
【発明の効果】
【０００６】
上記手段によれば、節度機構を操作杆の回動支持部より操作部側に設けたことにより、操作杆の回動支持部より他端部側が節度機構の配置から解放される。よって、そこには、応答装置を設けるのが自由にできるようになり、又、節度機構が操作杆の回動支持部より他端部側に設けられているのが好ましくない場合にも適するようになる。
【発明を実施するための最良の形態】
【０００７】
以下、本発明の一実施例（一実施形態）につき、図面を参照して説明する。
まず、図１には、中央に操作杆１を示している。この操作杆１は、主体部１ａが図中上下の方向に延びる棒状を成すもので、その下端部寄りの中間部を支軸２により図中左右の方向に回動可能に支持している。従って、支軸２は操作杆１の回動支持部となっている。この操作杆１の上端部は、操作杆１の支軸（回動支持部）２より一端部側であり、ここに操作部３を例えば別体のノブを装着することにより設けている。
【０００８】
これに対して、操作杆１の支軸２より他端部側である下端部の側には、応答装置４を設けている。この応答装置４は、この場合、磁石５と、磁気センサ（例えばホール素子や磁気抵抗素子など）６との対から成るもので、その磁石５を操作杆１の下端部端面に取付けて操作杆側素子とし、磁気センサ６をそれに対向させて操作杆１の下方に配置したインシュレータ７上に取付けて対向素子としている。
【０００９】
そして、操作杆１の支軸２より操作部３側（一端部側）には、節度機構８を設けている。この節度機構８は、この場合、操作杆１に取付けたばね座９と、操作杆１を囲繞してばね座９上に配置した圧縮コイルスプリングから成るばね１０、及び操作杆１に摺動可能に遊嵌してばね１０上に配置した節度ピース１１、並びに操作杆１の周囲に配置されて節度ピース１１が圧接する受け面１２ａを有する受け部材１２から成っている。
【００１０】
しかして、節度ピース１１の受け部材１２側の面１１ａは球面状を成しており、これに対して、受け部材１２の受け面１２ａは、図２にも示すように、全周にわたり、中間部１２ａ１が盛り上がって頂部となる山状を成している。
従って、上記構成で、使用者が操作杆１の操作部３に指をかけて図１中左方向に操作すれば、図３に示すように、操作杆１が支軸２を中心に反時計回りに回動する。この結果、応答装置４においては磁石５が磁気センサ６から図中右側に離れ、その離れた距離に応じた磁気を検知して検知信号を出力する。又、このとき、節度機構８においては、節度ピース１１が球面１１ａの図３中左側部で受け部材１２の受け面１２ａを摺動して中間部（頂部）１２ａ１を上側から下側に超える。従って、そのときに操作杆１の操作部３に指をかけて操作杆１を操作していた使用者には、その操作に抵抗（節度）感が与えられ、その抵抗感でもって操作を認識させることができる。
【００１１】
なお、上記操作に対し、使用者が操作杆１を図１中右方向に操作すれば、図４に示すように、全てが上述とは反対の方向に作動して、応答装置４においては磁石５が磁気センサ６から図中左側に離れることによる距離に応じた磁気検知信号を出力し、節度機構８においては、節度ピース１１が球面１１ａの図４中右側部で受け部材１２の受け面１２ａにおける中間部１２ａ１を上側から下側に超えて、使用者に操作の抵抗感を与える。
【００１２】
このように操作杆１の回動に節度を与える節度機構８を、本構成のものおいては、操作杆１の回動支持部である支軸２より操作部３側に設けている。これにより、操作杆１の支軸２より他端部側（反操作部３側）が従来の節度機構の配置から解放される。よって、そこには、操作杆１の他端部端面と下方のインシュレータ７との間に構成する応答装置４を設けるのが自由にできるようになり、又、装置のサイズや別部品の配置の関係等から、節度機構８が操作杆１の支軸２より他端部側に設けられているのが好ましくない場合にも適するようになる。
【００１３】
なお、本発明は上記し且つ図面に示した実施例にのみ限定されるものではなく、特に操作杆は図１中左右の方向にのみ回動操作されるものに限られず、例えばそれに加えてそれと直交する方向にも回動操作されるものであっても良く、更に、３６０度角のいずれの方向にも回動操作されるもの（ジョイスティックタイプ）であっても良いもので、そのほか、応答装置４や節度機構８のそれぞれ具体的構成も上述のようには限られないなど、要旨を逸脱しない範囲内で適宜変更して実施し得る。
【図面の簡単な説明】
【００１４】
【図１】本発明の一実施例を示す装置全体の縦断面図
【図２】節度機構の受け部材の部分斜視図
【図３】装置全体の作動状態における縦断面図
【図４】装置全体の異なる作動状態における縦断面図
【符号の説明】
【００１５】
図面中、１は操作杆、２は支軸（回動支持部）、３は操作部、４は応答装置、８は節度機構を示す。
【図１】
2005078839.tif 000003
【図２】
2005078839.tif 000004
【図３】
2005078839.tif 000005
【図４】
2005078839.tif 000006